(57)【要約】  コンテンツ提供サービスが提供するコンテンツに対して所定の期間の使用権限を所有するユーザから、該当の期間のうちの一部の期間に対する使用権限の譲渡要求を受信し、該当の譲渡要求に基づいてユーザの使用権限を縮小し、所定の条件を満たす他のユーザに該当の譲渡された使用権限の範囲内の使用権限を提供する、コンテンツの使用権限管理方法が提供される。【選択図】図２
2021520532.tif 000002
【特許請求の範囲】
【請求項１】
コンテンツ提供サービスが提供する複数のコンテンツに対して所定の第１期間の第１使用権限を所有する第１ユーザの第１ユーザ端末から、前記第１期間の少なくとも一部である第２期間に対する前記第１使用権限の譲渡要求を受信する段階、
前記譲渡要求に基づき、前記第１ユーザの前記第１使用権限を前記第２期間だけ縮小する段階、および
所定の条件を満たす第２ユーザの第２ユーザ端末に、前記第２期間の少なくとも一部の期間について、前記複数のコンテンツのうちの少なくとも一部のコンテンツに対する第２使用権限を提供する段階
を含む、コンテンツの使用権限管理方法。
【請求項２】
前記複数のコンテンツのそれぞれはアーティストと関連し、
前記第１使用権限は、前記複数のコンテンツに対する前記第１期間の定額使用券であり、
前記第１ユーザ端末からの前記譲渡要求は、前記複数のコンテンツと関連するアーティストのうちで第１アーティストが指定された譲渡要求であり、
前記所定の条件は、前記複数のコンテンツのうち、前記第１アーティストと関連するコンテンツのうちの所定の件数のコンテンツを再生することである、
請求項１に記載のコンテンツの使用権限管理方法。
【請求項３】
前記所定の条件は、
前記複数のコンテンツのうち、前記第１アーティストと関連する特定のアルバムに含まれた所定の件数のコンテンツを再生することであるか、
前記第１アーティストと関連するコンテンツのうち、少なくとも前記第１ユーザによって指定されたコンテンツを再生することであるか、または
前記第２ユーザが再生を選択したコンテンツを含み、第１アーティストと関連する特定のアルバムに含まれた所定の件数のコンテンツを再生することである、
請求項２に記載のコンテンツの使用権限管理方法。
【請求項４】
前記第２ユーザは、前記コンテンツ提供サービスの会員であるか、または前記コンテンツ提供サービスの会員ではないが所定の識別子が付与されたユーザである、
請求項２に記載のコンテンツの使用権限管理方法。
【請求項５】
前記第１ユーザおよび前記第２ユーザの間には、メッセンジャーアプリケーションまたはＳＮＳに基づく人的関係が形成されている、
請求項２に記載のコンテンツの使用権限管理方法。
【請求項６】
前記第１ユーザに所定の報酬を提供する段階
をさらに含み、
前記報酬は、前記第１アーティストと関連するものである、
請求項２に記載のコンテンツの使用権限管理方法。
【請求項７】
前記第２期間は、前記第１期間のうちで前記第１ユーザによって設定された特定の区間に属する時間、日付、または曜日である、
請求項２に記載のコンテンツの使用権限管理方法。
【請求項８】
前記第２使用権限は、前記複数のコンテンツのうちで前記第１アーティストと関連するコンテンツだけに対する使用権限である、
請求項２に記載のコンテンツの使用権限管理方法。
【請求項９】
前記第１ユーザが前記第１使用権限に対する所定の譲渡可能条件を満たすか否かを判定する段階
をさらに含み、
前記譲渡可能条件は、
前記第１ユーザが、前記複数のコンテンツのうち、前記第１アーティストと関連するコンテンツのうちの所定の件数のコンテンツを再生したと判定されたとき、または
前記第１ユーザが譲渡しようとする前記第１使用権限の前記第２期間、または前記第１ユーザが予め譲渡した前記第１使用権限の累積期間が所定の最大譲渡可能期間以下であると判定されたときに満たされたと判定する、
請求項２に記載のコンテンツの使用権限管理方法。
【請求項１０】
前記第１使用権限を譲渡した前記第１ユーザに関する情報を、前記コンテンツ提供サービスの前記第１アーティストと関連するページに表示する段階
をさらに含む、請求項２に記載のコンテンツの使用権限管理方法。
【請求項１１】
前記第１ユーザは複数であり、
前記第１アーティストと関連する複数の第１ユーザに対するランキングを提供する段階
をさらに含み、
前記ランキングは、前記コンテンツ提供サービスの前記第１アーティストと関連するページに表示され、
前記ランキングは、前記複数の第１ユーザそれぞれが譲渡した前記第１使用権限の前記第２期間の長さに基づいて計算された加重値による、
請求項２に記載のコンテンツの使用権限管理方法。
【請求項１２】
前記ランキングは、前記加重値を含む複数のパラメータに基づいて決定され、
前記パラメータのうちの前記加重値は、前記ランキングの決定において支配的パラメータである、
請求項１１に記載のコンテンツの使用権限管理方法。
【請求項１３】
前記第２ユーザは、前記第２ユーザ端末を利用して前記コンテンツ提供サービスの前記第１アーティストと関連するページにアクセスしたユーザであり、
前記第２使用権限を提供する段階は、
前記第２使用権限の提供に関する案内情報を前記第２ユーザ端末に提供する段階であって、前記案内情報は前記所定の条件を案内する情報を含む、段階、
前記第２ユーザ端末からの応答にしたがい、前記第２ユーザが前記所定の条件を満たすか否かを判定する段階、および
前記所定の条件を満たすと判定されたとき、前記第２ユーザの第２ユーザ端末に前記第２使用権限を提供する段階
を含む、請求項２に記載のコンテンツの使用権限管理方法。
【請求項１４】
前記第２ユーザは複数であり、
前記第２使用権限は、一定の期間ごとに所定の数の第２ユーザだけに提供される、
請求項２に記載のコンテンツの使用権限管理方法。
【請求項１５】
前記第１ユーザは複数であり、
複数の第１ユーザによって譲渡された前記第１使用権限の前記第２期間の累積量を、前記コンテンツ提供サービスの前記第１アーティストと関連するページに表示する段階
をさらに含む、請求項２に記載のコンテンツの使用権限管理方法。
【請求項１６】
請求項１〜１５のうちのいずれか一項に記載の使用権限管理方法をコンピュータに実行させるコンピュータプログラム。
【請求項１７】
通信部、および
前記通信部により、コンテンツ提供サービスが提供する複数のコンテンツに対して所定の第１期間の第１使用権限を所有する第１ユーザの第１ユーザ端末から、前記第１期間の少なくとも一部である第２期間に対する前記第１使用権限の譲渡要求を受信し、前記譲渡要求に基づき、前記第１ユーザの前記第１使用権限を前記第２期間だけ縮小し、所定の条件を満たす第２ユーザの第２ユーザ端末に、前記第２期間の少なくとも一部の期間について、前記複数のコンテンツのうちの少なくとも一部のコンテンツに対する第２使用権限を提供する制御部
を含む、コンテンツの使用権限管理装置。
【請求項１８】
前記複数のコンテンツそれぞれはアーティストと関連し、
前記第１使用権限は、前記複数のコンテンツに対する前記第１期間の定額使用券であり、
前記第１ユーザ端末からの前記譲渡要求は、前記複数のコンテンツと関連するアーティストのうちで第１アーティストが指定された譲渡要求であり、
前記所定の条件は、前記複数のコンテンツのうち、前記第１アーティストと関連するコンテンツのうちの所定の件数のコンテンツを再生することである、
請求項１７に記載のコンテンツの使用権限管理装置。
【請求項１９】
前記第２ユーザは、前記第２ユーザ端末を利用して前記コンテンツ提供サービスの前記第１アーティストと関連するページにアクセスしたユーザであり、
前記制御部は、前記第２使用権限の提供と関連する案内情報を前記第２ユーザ端末に提供し、前記第２ユーザ端末からの応答にしたがい、前記第２ユーザが前記所定の条件を満たすか否かを判定し、前記所定の条件を満たすと判定されたとき、前記第２ユーザの第２ユーザ端末に前記第２使用権限を提供し、前記案内情報は前記所定の条件を案内する情報を含む、
請求項１８に記載のコンテンツの使用権限管理装置。
【発明の詳細な説明】
【技術分野】
【０００１】
本開示は、コンテンツの使用権限管理方法および装置に関し、より詳細には、コンテンツ提供サービスが提供する複数のコンテンツに対して一定期間の使用権限を所有するユーザによって該当の使用権限が譲渡（寄付を含む）されることにより、他のユーザが該当の譲渡（寄付）された使用権限を用いてコンテンツを使用できるようにする、コンテンツの使用権限管理方法および装置に関する。
【背景技術】
【０００２】
音源や動画のようなメディアコンテンツを視聴するときに、有料で提供されるコンテンツを視聴するためには所定の費用を支払わなければならない。すなわち、有料コンテンツを視聴しようとするユーザは、特定のコンテンツを視聴するために費用を支払ったり、コンテンツ提供サービスが提供するすべての（または一部の）コンテンツを一定期間だけ視聴できるようにした定額券を購入したりしなければならない。ユーザが決済や定額券の購入を望まない場合には、有料コンテンツの再生前に提供される所定の広告を視聴することにより、該当の有料コンテンツの少なくとも一部を無料で視聴することができる場合もある。
【０００３】
しかし、このような広告の提供を条件に有料コンテンツの視聴を許容する場合に提供される広告は、ユーザが視聴したい有料コンテンツとはまったく関係のないものである場合が多いため、不必要な広告の視聴によってユーザが不便を感じるという問題が浮上している。
【０００４】
したがって、有料コンテンツに対する視聴権限を所有するユーザが自身の視聴権限の一部を寄付する方式により、有料コンテンツを無料で利用しようとするユーザに、不必要な広告の視聴をさせることなく有料コンテンツを無料で視聴できるようにする権利を提供しつつ、視聴権限の一部を寄付したユーザも満足感を得ることができるようにするコンテンツの使用権限管理方法および装置が求められている。
【０００５】
韓国公開特許第１０−２０１４−０１３０２９３号公報（公開日２０１４年１１月１０日）は、端末装置のＤＲＭコンテンツの使用権限を調整する方法であって、ＤＲＭコンテンツに対するライセンスを利用してＤＲＭコンテンツに含まれた広告コンテンツを利用し、その利用に応じて広告コンテンツの利用状態情報を更新し、更新された広告コンテンツの利用状態情報を広告コンテンツの利用に関する政策情報と比較し、該当の比較結果に基づいてＤＲＭコンテンツに含まれたデジタルコンテンツに対する使用権限情報をライセンスで調整することを含む方法を開示している。
【０００６】
上述した背景技術の内容は読者の理解を助けるためのものに過ぎず、従来技術の一部を形成しない内容を含む可能性があり、従来技術によっては当業者が提供できない内容を含む可能性がある。
【先行技術文献】
【特許文献】
【０００７】
【特許文献１】韓国公開特許第１０−２０１４−０１３０２９３号公報
【発明の概要】
【発明が解決しようとする課題】
【０００８】
一実施形態は、コンテンツ提供サービスが提供するコンテンツに対する所定期間の第１ユーザの使用権限を他のユーザに提供するために特定のアーティストを指定して譲渡（寄付）し、該当の特定のアーティストと関連する所定の条件を満たす第２ユーザが譲渡（寄付）された使用権限の範囲内でコンテンツを使用できるようにする、コンテンツの使用権限管理方法および装置を提供することを目的とする。
【０００９】
一実施形態は、特定のアーティストのファンである第１ユーザが、自身が所有するコンテンツに対する使用権限の一部を他のユーザに提供するために譲渡することにより、特定のアーティストに対する他のユーザの関心を高めることができる、コンテンツの使用権限管理方法および装置を提供することを目的とする。
【００１０】
一実施形態は、特定のアーティストのファンである第１ユーザから譲渡された一定期間のコンテンツに対する使用権限の一部を用いて他のユーザがコンテンツを利用できるようにし、コンテンツの使用権限の活用の効率性を極大化することができる、コンテンツの使用権限管理方法および装置を提供することを目的とする。
【課題を解決するための手段】
【００１１】
一側面において、コンテンツ提供サービスが提供する複数のコンテンツに対して所定の第１期間の第１使用権限を所有する第１ユーザの第１ユーザ端末から、前記第１期間の少なくとも一部である第２期間に対する前記第１使用権限の譲渡要求を受信する段階、前記譲渡要求に基づいて前記第１ユーザの前記第１使用権限を前記第２期間だけ縮小する段階、および所定の条件を満たす第２ユーザの第２ユーザ端末に、前記第２期間の少なくとも一部の期間（例えば、単位期間）について、前記複数のコンテンツのうちの少なくとも一部のコンテンツに対する第２使用権限を提供する段階を含む、コンテンツの使用権限管理方法を提供する。
【００１２】
前記複数のコンテンツのそれぞれはアーティストと関連してよい。
【００１３】
前記第１使用権限は、前記複数のコンテンツに対する前記第１期間の定額使用券であってよい。
【００１４】
前記第１ユーザ端末からの前記譲渡要求は、前記複数のコンテンツと関連するアーティストのうちで第１アーティストが指定された譲渡要求であってよい。
【００１５】
前記所定の条件は、前記複数のコンテンツのうち、前記第１アーティストと関連するコンテンツのうちの所定の件数のコンテンツを再生することであってよい。
【００１６】
前記所定の条件は、前記複数のコンテンツのうち、前記第１アーティストと関連する特定のアルバムに含まれた所定の件数のコンテンツを再生することであるか、前記第１アーティストと関連するコンテンツのうちで少なくとも前記第１ユーザによって指定されたコンテンツを再生することであるか、または前記第２ユーザが再生を選択したコンテンツを含み、第１アーティストと関連する特定のアルバムに含まれた所定の件数のコンテンツを再生することであってよい。
【００１７】
前記第２ユーザは、前記コンテンツ提供サービスの会員であるか、または前記コンテンツ提供サービスの会員ではないが所定の識別子が付与されたユーザである、コンテンツの使用権限管理方法。
【００１８】
前記第１ユーザおよび前記第２ユーザの間には、メッセンジャーアプリケーションまたはＳＮＳに基づく人的関係が形成されていてよい。
【００１９】
前記コンテンツの使用権限管理方法は、前記第１ユーザに所定の報酬を提供する段階をさらに含んでよい。
【００２０】
前記報酬は、前記第１アーティストと関連するものであってよい。
【００２１】
前記第２期間は、前記第１期間のうちで前記第１ユーザによって設定された特定の区間に属する時間、日付、または曜日であってよい。
【００２２】
前記第２使用権限は、前記複数のコンテンツのうちで前記第１アーティストと関連するコンテンツだけに対する使用権限であってよい。
【００２３】
前記コンテンツの使用権限管理方法は、前記第１ユーザが前記第１使用権限に対する所定の譲渡可能条件を満たすか否かを判定する段階をさらに含んでよい。
【００２４】
前記譲渡可能条件は、前記第１ユーザが前記複数のコンテンツのうち、前記第１アーティストと関連するコンテンツのうちの所定の件数のコンテンツを再生したと判定されるとき、または前記第１ユーザが譲渡しようとする前記第１使用権限の前記第２期間または前記第１ユーザが予め譲渡した前記第１使用権限が累積した期間が所定の最大譲渡可能期間以下であると判定されたときに満たされたと判定してよい。
【００２５】
前記コンテンツの使用権限管理方法は、第１使用権限を譲渡した前記第１ユーザに関する情報を、前記コンテンツ提供サービスの前記第１アーティストと関連するページに表示する段階をさらに含んでよい。
【００２６】
前記第１ユーザは複数であってよい。
【００２７】
前記コンテンツの使用権限管理方法は、前記第１アーティストと関連する複数の第１ユーザに対するランキングを提供する段階をさらに含んでよい。
【００２８】
前記ランキングは、前記コンテンツ提供サービスの前記第１アーティストと関連するページに表示されてよい。
【００２９】
前記ランキングは、前記複数の第１ユーザそれぞれが譲渡した前記第１使用権限の前記第２期間の長さに基づいて計算された加重値に基づいてよい。
【００３０】
前記ランキングは、前記加重値を含む複数のパラメータに基づいて決定されてよい。
【００３１】
前記パラメータのうちの前記加重値は、前記ランキングの決定において支配的パラメータ（ｄｏｍｉｎａｎｔ  ｐａｒａｍｅｔｅｒ）であってよい。
【００３２】
前記第２ユーザは、前記第２ユーザ端末を利用して前記コンテンツ提供サービスの前記第１アーティストと関連するページにアクセスしたユーザであってよい。
【００３３】
前記第２使用権限を提供する段階は、前記第２使用権限の提供と関連する案内情報を前記第２ユーザ端末に提供する段階（前記案内情報は、前記所定の条件を案内する情報を含む）、前記第２ユーザ端末からの応答に基づき、前記第２ユーザが前記所定の条件を満たすか否かを判定する段階、および前記所定の条件を満たすと判定されたとき、前記第２ユーザの第２ユーザ端末に前記第２使用権限を提供する段階を含んでよい。
【００３４】
前記第２ユーザは複数であってよい。
【００３５】
前記第２使用権限は、一定の期間ごとに所定の数の第２ユーザだけに提供されてよい。
【００３６】
前記第１ユーザは複数であってよい。
【００３７】
前記コンテンツの使用権限管理方法は、複数の第１ユーザによって譲渡された前記第１使用権限の前記第２期間が累積した量を前記コンテンツ提供サービスの前記第１アーティストと関連するページに表示する段階をさらに含んでよい。
【００３８】
他の一側面において、通信部および前記通信部により、コンテンツ提供サービスが提供する複数のコンテンツに対して所定の第１期間の第１使用権限を所有する第１ユーザの第１ユーザ端末から、前記第１期間の少なくとも一部である第２期間に対する前記第１使用権限の譲渡要求を受信し、前記譲渡要求に基づいて前記第１ユーザの前記第１使用権限を前記第２期間だけ縮小し、所定の条件を満たす第２ユーザの第２ユーザ端末に、前記第２期間の少なくとも一部である期間について、前記複数のコンテンツのうちの少なくとも一部のコンテンツに対する第２使用権限を提供する制御部を含む、コンテンツの使用権限管理装置を提供する。
【００３９】
前記複数のコンテンツのそれぞれはアーティストと関連してよい。
【００４０】
前記第１使用権限は、前記複数のコンテンツに対する前記第１期間の定額使用券であってよい。
【００４１】
前記第１ユーザ端末からの前記譲渡要求は、前記複数のコンテンツと関連するアーティストのうちで第１アーティストが指定された譲渡要求であってよい。
【００４２】
前記所定の条件は、前記複数のコンテンツのうち、前記第１アーティストと関連するコンテンツのうちの所定の件数のコンテンツを再生することであってよい。
【００４３】
前記第２ユーザは、前記第２ユーザ端末を利用して前記コンテンツ提供サービスの前記第１アーティストと関連するページにアクセスしたユーザであってよい。
【００４４】
前記制御部は、前記第２使用権限の提供と関連する案内情報を前記第２ユーザ端末に提供し（前記案内情報は、前記所定の条件を案内する情報を含む）、前記第２ユーザ端末からの応答に基づき、前記第２ユーザの前記所定の条件を満たすか否かを判定し、前記所定の条件を満たすと判定されたとき、前記第２ユーザの第２ユーザ端末に前記第２使用権限を提供してよい。
【発明の効果】
【００４５】
ユーザが、コンテンツ提供サービスが提供するコンテンツに対する所定の期間の自身の使用権限のうちの余った部分を他のユーザの使用のために譲渡（寄付）することにより、コンテンツの使用権限を効率的に活用することができ、不必要な広告の視聴なく他のユーザがコンテンツを使用できるようにする、コンテンツの使用権限管理方法および装置を提供する。
【００４６】
特定のアーティストのファンであるユーザが、自身が所有するコンテンツに対する使用権限の一部を、該当の特定のアーティストと関連する所定の条件を満たすことを条件に他のユーザに譲渡することにより、特定のアーティストに対する他のユーザの関心を誘導し、特定のアーティストのファンとしてのユーザの活動を督励することができる、コンテンツの使用権限管理方法および装置を提供する。
【００４７】
特定のアーティストのファンであるユーザが、自身が所有するコンテンツに対する使用権限の一部を他のユーザに提供するために特定のアーティストを指定して譲渡するときに、該当の使用権限の譲渡に関する情報がコンテンツ提供サービスの特定のアーティストと関連するページに表示され、ユーザが特定のアーティストのファンであるという存在感を示すことができる、コンテンツの使用権限管理方法および装置が提供される。
【図面の簡単な説明】
【００４８】
【図１】一実施形態における、第１ユーザのコンテンツに対する使用権限の少なくとも一部を第２ユーザが使用できるように、第１アーティストを指定して譲渡（寄付）するようにするコンテンツの使用権限管理方法を示した図である。
【図２】一実施形態における、コンテンツに対する使用権限を譲渡する第１ユーザ端末、コンテンツの使用権限管理装置、および使用権限が提供される第２ユーザ端末の構造を示した図である。
【図３】一実施形態における、第１ユーザのコンテンツに対する使用権限の少なくとも一部を第２ユーザの使用のために譲渡するようにするコンテンツの使用権限管理方法を示したフローチャートである。
【図４】一例における、コンテンツ提供サービスの特定のアーティストと関連するページに第１ユーザ間のランキングを提供する方法を示したフローチャートである。
【図５】一例における、第１ユーザから譲渡されたコンテンツに対する使用権限に基づくコンテンツに対する第２使用権限を第２ユーザに提供する方法を示したフローチャートである。
【図６】一例における、コンテンツ提供サービスの特定のアーティストと関連するページに使用権限の譲渡に関する情報および／またはユーザインタフェースを提供する方法を示したフローチャートである。
【図７】一例における、コンテンツ提供サービスの特定のアーティストと関連するページと、前記ページで第１ユーザが第１使用権限の一部に対する譲渡を要求する方法を示した図である。
【図８】一例における、コンテンツ提供サービスのページで第２ユーザがコンテンツに対する第２使用権限の提供を受ける方法を示した図である。
【発明を実施するための形態】
【００４９】
以下、本発明の実施形態について、添付の図面を参照しながら詳細に説明する。
【００５０】
以下の詳細な説明において、「コンテンツ」とは、例えば、音源、動画、またはミュージックビデオのようなメディアコンテンツであってよい。また、コンテンツと関連するアーティストとは、コンテンツの制作に関与した者を意味し、例えば、音源に該当するコンテンツを制作した歌手であってよい。
【００５１】
また、以下の詳細な説明において、ユーザとは、人間であるユーザだけでなく、説明の便宜上、ユーザと関連するコンテンツ提供サービスのアカウントまたはユーザが使用するユーザ端末を意味してよい。例えば、ユーザからの要求の受信／ユーザへのコンテンツの提供は、ユーザと関連するアカウント（またはユーザ端末）からの要求の受信／ユーザと関連するアカウント（またはユーザ端末）へのコンテンツの提供として解釈されてよい。同じように、ユーザが使用するユーザ端末／ユーザアカウントも、ユーザ自体を示すものとして解釈されてよい。
【００５２】
さらに、以下の詳細な説明において、コンテンツの使用とは、コンテンツ提供サービスが指定する目的に応じてコンテンツを閲覧することに該当してよい。例えば、メディアコンテンツの使用は、該当のメディアコンテンツを再生することに該当してよい。また、コンテンツの「使用権限」とは、このようなコンテンツ提供サービスが指定した目的に応じてコンテンツを使用できるようにする権限を意味してよい。
【００５３】
図１は、一実施形態における、第１ユーザのコンテンツに対する使用権限の少なくとも一部を第２ユーザが使用できるように、第１アーティストを指定して譲渡（寄付）するようにするコンテンツの使用権限管理方法を示した図である。
【００５４】
図１は、コンテンツ使用権限管理装置１００が、第１ユーザの第１ユーザ端末１１０−１〜１１０−Ｎから、コンテンツ提供サービスが提供する複数のコンテンツに対する第１使用権限の譲渡（寄付）の要求を受信し、これにより、譲渡された第１使用権限の範囲に属する第２使用権限を第２ユーザの第２ユーザ端末１２０−１〜１２０−Ｎに提供する方法について説明している。図に示すように、第１ユーザおよび第２ユーザは複数であってよいが、以下では説明の便宜上、第１ユーザ端末１１０および第２ユーザ端末１２０を代表的な例として説明し、重複する説明は省略する。
【００５５】
第１使用権限とは、コンテンツ提供サービスが提供する複数のコンテンツ（例えば、特定の範囲のコンテンツまたはすべてのコンテンツ）に対して所定の第１期間にわたり該当のコンテンツを自由に使用することのできる権限であってよい。例えば、コンテンツ提供サービスが音源提供サービスである場合、第１使用権限は、第１ユーザが購入した、音源提供サービスが提供する音源に対する定額使用券（定額再生券）に該当してよい。所定の第１期間とは、第１ユーザが購入した期間に対応する期間であって、例えば、１日、１週間、１ヶ月、または１年であってよい。
【００５６】
第１ユーザ端末１１０は、コンテンツ使用権限管理装置１００に第１使用権限の一部の譲渡を要求してよい。このとき、第１ユーザ端末１１０は、特定の第１アーティストを指定してよい。第１アーティストは、例えば、第１ユーザの関心アーティストであってよい。つまり、第１ユーザは、第１アーティストのファンであってよい。第１ユーザ端末１１０は、コンテンツに対する第１期間の使用権限である第１使用権限のうち、第１期間の少なくとも一部に該当する第２期間のコンテンツに対する使用権限を譲渡してよい。
【００５７】
第２期間に対する第１使用権限の譲渡要求を受信したコンテンツ使用権限管理装置１００は、第１ユーザの第１使用権限を第２期間だけ縮小してよい。すなわち、コンテンツ使用権限管理装置１００は、第１ユーザが譲渡した期間だけ、第１ユーザと関連するアカウントで第１使用権限を縮小してよい。
【００５８】
コンテンツ使用権限管理装置１００は、第２ユーザのうちで第１ユーザが指定した第１アーティストと関連する条件を満たす第２ユーザの第２ユーザ端末１２０にコンテンツに対する第２使用権限を提供してよい。第２使用権限は、第１使用権限の範囲内に属してよい。第２使用権限は、上述した第２期間の少なくとも一部に該当する単位期間のコンテンツに対する使用権限であってよい。
【００５９】
例えば、具体的な例を参照しながらさらに詳しく説明すれば、音源提供サービスが提供する音源のすべてを再生することのできる３０日間の定額券を第１ユーザが保有している場合、第１ユーザは、前記定額券のうちの１０日間に該当する権限を第２ユーザのために譲渡（寄付）するようにコンテンツ使用権限管理装置１００に要求してよい。このとき、第１ユーザは、自身がファンである歌手ＡＡＡを指定してよい。要求を受信したコンテンツ使用権限管理装置１００は、第１ユーザの３０日定額券を２０日定額券に縮小し、１０日間に該当する定額券を１０回の１日定額券に分割して１０人の第２ユーザにそれぞれ提供してよい。コンテンツ使用権限管理装置１００は、このような１日定額券を、歌手ＡＡＡと関連して所定の条件を満たす第２ユーザだけに提供してよい。所定の条件とは、例えば、歌手ＡＡＡと関連する音源を所定の回数以上に再生することであってよい。
【００６０】
このように、第１ユーザは、自身がファンである第１アーティストを指定して第１使用権限の一部を寄付することにより、第１アーティストのファンとしての存在感を示すことができ、第１アーティストと関連する所定の条件を満たす第２ユーザだけに第２使用権限を提供することにより、第１アーティストへの関心を第２ユーザに誘導することができる。また、第２ユーザは、第２使用権限の提供を受けることにより、不必要な広告を視聴することなくコンテンツを使用できるようになる。
【００６１】
一方、図に示すように、第１ユーザが複数である場合、一部の第１ユーザ（例えば、ユーザ端末１１０−Ｎのユーザ）は第２アーティストを指定して自身の第１使用権限を譲渡する場合がある。このとき、第２使用権限の提供を受けるための第２ユーザには、第２アーティストと関連する条件を満たすことが求められてよい。
【００６２】
第１ユーザが、自身が所有する第１使用権限の一部を第２ユーザに提供するために寄付する詳しい方法については、図２〜８を参照しながらさらに詳しく説明する。
【００６３】
図２は、一実施形態における、コンテンツに対する使用権限を譲渡する第１ユーザ端末、コンテンツの使用権限管理装置、および使用権限が提供される第２ユーザ端末の構造を示した図である。
【００６４】
図２を参照しながら、図１で説明したコンテンツ使用権限管理装置１００、第１ユーザの第１ユーザ端末１１０、および第２ユーザの第２ユーザ端末１２０の詳細的な構成についてさらに詳しく説明する。
【００６５】
コンテンツ使用権限管理装置１００は、第１ユーザ端末１１０からの第１使用権限の譲渡（寄付）要求にしたがい、第１ユーザの第１使用権限を縮小して第２ユーザに第２使用権限を提供する装置であって、コンテンツ提供サービスが提供する複数のコンテンツに対する使用権限を管理するサーバまたはその他のコンピュータ装置であってよい。例えば、コンテンツ使用権限管理装置１００は、第１ユーザ端末１１０および第２ユーザ端末１２０にインストールされるコンテンツ提供サービスと関連するアプリケーションを運用して第１ユーザ端末１１０および第２ユーザ端末１２０にコンテンツの使用を提供するサーバであってよい。
【００６６】
コンテンツ使用権限管理装置１００は、通信部２１０および制御部２２０を含んでよい。
【００６７】
通信部２１０は、コンテンツ使用権限管理装置１００が他のサーバやユーザ端末１１０および１２０と通信するための装置であってよい。すなわち、通信部２１０は、他のサーバやユーザ端末１１０および１２０に対してデータおよび／または情報を送信／受信する、コンテンツ使用権限管理装置１００のネットワークインタフェースカード、ネットワークインタフェースチップ、およびネットワーキングインタフェースポートなどのようなハードウェアモジュール、またはネットワークデバイスドライバ（ｄｒｉｖｅｒ）またはネットワーキングプログラムのようなソフトウェアモジュールであってよい。
【００６８】
制御部２２０は、コンテンツ使用権限管理装置１００の構成要素を管理してよく、コンテンツ使用権限管理装置１００が使用するプログラムまたはアプリケーションを実行してよい。例えば、制御部２２０は、通信部２１０から受信した第１使用権限の一部に対する譲渡の要求を処理し、第２使用権限を第２ユーザに提供するために使用されるプログラムまたはアプリケーションを実行し、必要な演算を処理してよい。制御部２２０は、コンテンツ使用権限管理装置１００の少なくとも１つのプロセッサまたはプロセッサ内の少なくとも１つのコア（ｃｏｒｅ）であってよい。
【００６９】
制御部２２０は権限管理部２２２、インタフェース提供部２２４、ランキング計算部２２６、および報酬提供部２２８を含んでよい。制御部２２０の構成２２２〜２２８のそれぞれは、１つ以上のソフトウェアモジュールおよび／またはハードウェアモジュールによって実現されてよい。
【００７０】
権限管理部２２２は、通信部２１０により、コンテンツ提供サービスが提供する複数のコンテンツに対して所定の第１期間の第１使用権限を所有する第１ユーザと関連する第１ユーザ端末１１０から、第１期間の少なくとも一部である第２期間に対する第１使用権限の譲渡（寄付）要求を受信してよい。権限管理部２２２は、受信された譲渡要求に基づいて第１ユーザの第１使用権限を第２期間だけ縮小してよい。また、権限管理部２２２は、所定の条件を満たす第２ユーザと関連する第２ユーザ端末１２０に、第２期間の少なくとも一部に該当する単位期間の複数のコンテンツのうちの少なくとも一部のコンテンツに対する使用権限である第２使用権限を提供してよい。
【００７１】
ランキング計算部２２６は、第１ユーザの使用権限譲渡の程度に基づいて第１ユーザ間のランキングを計算してよい。
【００７２】
報酬提供部２２８は、第１使用権限を譲渡した第１ユーザに所定の報酬を提供してよい。
【００７３】
インタフェース提供部２２４は、第１ユーザの第１使用権限の譲渡に関する情報および／または第１使用権限の譲渡と関連するユーザインタフェースを提供してよい。
【００７４】
制御部２２０の構成２２２〜２２８のより具体的な機能および動作については、図３〜８を参照しながらさらに詳しく説明する。上述した制御部２２０の構成２２２〜２２８は、少なくとも１つのプロセッサ内で実現されてよく、構成２２２〜２２８の機能および動作は、少なくとも１つのプロセッサによって実行されてよい。また、説明の便宜上、制御部２２０の構成２２２〜２２８によって実行される機能／動作は、制御部２２０が実行すると説明することもある。
【００７５】
第１ユーザ端末１１０は、第１ユーザが第１使用権限を用いてコンテンツ提供サービスから提供される複数のコンテンツを使用できるようにし、第１使用権限の一部に対する譲渡をコンテンツ使用権限管理装置１００に要求するようにする電子装置であってよい。例えば、第１ユーザ端末１１０は、スマートフォン、ＰＣ（ｐｅｒｓｏｎａｌ  ｃｏｍｐｕｔｅｒ）、ノート型ＰＣ（ｌａｐｔｏｐ  ｃｏｍｐｕｔｅｒ）、ラップトップコンピュータ（ｌａｐｔｏｐ  ｃｏｍｐｕｔｅｒ）、タブレット（ｔａｂｌｅｔ）、モノのインターネット（Ｉｎｔｅｒｎｅｔ  Ｏｆ  Ｔｈｉｎｇｓ）機器、またはウェアラブルコンピュータ（ｗｅａｒａｂｌｅ  ｃｏｍｐｕｔｅｒ）など、ユーザが使用する端末であってよい。
【００７６】
第１ユーザ端末１１０は、通信部２３０、制御部２４０、および表示部２５０を含んでよい。
【００７７】
通信部２３０は、第１ユーザ端末１１０がコンテンツ使用権限管理装置１００や他のユーザ端末と通信するための装置であってよい。すなわち、通信部２３０は、コンテンツ使用権限管理装置１００や他のユーザ端末に対してデータおよび／または情報を送信／受信する、第１ユーザ端末１１０のネットワークインタフェースカード、ネットワークインタフェースチップ、およびネットワーキングインタフェースポートなどのようなハードウェアモジュール、またはネットワークデバイスドライバ（ｄｒｉｖｅｒ）またはネットワーキングプログラムのようなソフトウェアモジュールであってよい。
【００７８】
制御部２４０は、第１ユーザ端末１１０の構成要素を管理してよく、第１ユーザ端末１１０が使用するプログラムまたはアプリケーションを実行してよい。例えば、制御部２４０は、第１ユーザ端末１１０にインストールされたコンテンツ提供サービスと関連するアプリケーションを実行して第１使用権限の譲渡を要求したり、第１ユーザがコンテンツを使用できるようにしたりしてよく、これによって必要な演算を処理してよい。制御部２４０は、第１ユーザ端末１１０の少なくとも１つのプロセッサまたはプロセッサ内の少なくとも１つのコアであってよい。
【００７９】
表示部２５０は、第１ユーザ端末１１０の第１ユーザが入力したデータを出力したり、使用されるコンテンツに関する情報、第１ユーザの第１使用権限譲渡に関する情報、およびこれと関連するユーザインタフェースを出力したりするためのディスプレイ装置であってよい。例えば、表示部２５０はタッチスクリーンを含んでよく、この場合、表示部は、ユーザに設定および要求を入力させるための入力部の機能を含むように構成されてよい。
【００８０】
また、図に示されてはいないが、第１ユーザ端末１１０は、データまたは情報を記録するための装置として格納部を含んでよい。格納部は、いかなるメモリまたはストレージ装置を含んでもよい。格納部には、制御部２４０が実行するプログラムまたはアプリケーション、およびこれに関する情報が記録されてよい。例えば、格納部は、コンテンツ提供サービスと関連するアプリケーションおよび該当のアプリケーションに関する情報を記録してよい。
【００８１】
第２ユーザ端末１２０は、第１ユーザ端末１１０の構成２３０〜２５０に対応する構成２３０’〜２５０’をそれぞれ含んでよく、構成２３０〜２５０に対して説明した技術的特徴は構成２３０’〜２５０’に対しても同じように適用可能であるため、重複する説明は省略する。
【００８２】
第１ユーザ端末１１０および第２ユーザ端末１２０と、コンテンツ使用権限管理装置１００との相互作用によってコンテンツの使用権限が管理されるより詳細な方法については、図３〜８を参照しながらさらに詳しく説明する。
【００８３】
以上、図１を参照しながら説明した技術的特徴は、図２に対してもそのまま適用可能であるため、重複する説明は省略する。
【００８４】
図３は、一実施形態における、第１ユーザのコンテンツに対する使用権限の少なくとも一部を第２ユーザの使用のために譲渡するようにするコンテンツの使用権限管理方法を示したフローチャートである。
【００８５】
段階３１０で、制御部２２０の権限管理部２２２は、コンテンツ提供サービスが提供する複数のコンテンツに対して所定の第１期間の第１使用権限を所有する第１ユーザと関連する第１ユーザ端末から、第１期間の少なくとも一部である第２期間に対する第１使用権限の譲渡要求を受信してよい。
【００８６】
コンテンツ提供サービスが提供する複数のコンテンツのそれぞれはアーティストと関連してよい。コンテンツと関連するアーティストとは、コンテンツの制作に関与した者であって、例えば、音源に該当するコンテンツを制作した歌手であってよい。また、各コンテンツは、関連するアーティストのアルバムに含まれてよい。
【００８７】
第１ユーザ端末１１０からの第１使用権限の譲渡要求は、第１ユーザによって第１アーティストが指定された譲渡要求であってよい。第１アーティストの指定は、譲渡の要求時に第１ユーザ端末１１０によって第１アーティストが選択されるか、コンテンツ提供サービスの第１アーティストと関連するページで譲渡要求が実行される場合になされてよい。例えば、第１ユーザは、自身がファンである第１アーティストを指定し、自身が所有している第１使用権限の一部を第２ユーザへの提供のために寄付するように要求してよい。
【００８８】
第１使用権限とは、前記複数のコンテンツに対する第１期間の定額使用券であってよい。例えば、第１使用権限は、複数の音源に対して第１ユーザが決済した期間（１日、１週間、１ヶ月、または１年）の定額使用券（ストリーミング券またはダウンロード券）であってよい。譲渡の対象となる第１使用権限の第２期間は、第１期間の少なくとも一部であってよい。例えば、第２期間は、第１期間のうちでユーザによって設定された特定の区間に属する時間、日付、または曜日であってよい。一例として、第１期間が１ヶ月である場合、譲渡の対象となる第２期間は、その一部である１０日間となってよい。また、第１使用権限が、日付が指定されている（または、第１ユーザが日付を指定することのできる）１ヶ月の第１使用権限に対する第２期間は、指定された日付の１０日間であってよい。また、第２期間は、第１期間のうちの特定の曜日（例えば、火曜日）であってもよいし、第１期間のうちの特定の時間帯（例えば、午前０時〜午前１１時）であってもよい。
【００８９】
したがって、第１ユーザは、第１使用権限の第１期間のうちで自身が使用しないと予想される期間（余剰期間）を指定して寄付を要求してよい。
【００９０】
段階３２０で、権限管理部２２２は、第１使用権限の譲渡を要求した第１ユーザが第１使用権限に対する所定の譲渡可能条件を満たしているかを判定してよい。
【００９１】
権限管理部２２２は、例えば、第１ユーザが、コンテンツ提供サービスが提供する複数のコンテンツのうち、第１アーティストと関連するコンテンツのうちの所定の件数のコンテンツを再生したと判定されたときに、第１ユーザが所定の譲渡可能条件を満たしていると判定してよい。
【００９２】
または、権限管理部２２２は、例えば、第１ユーザが譲渡しようとする第１使用権限の第２期間が所定の最大譲渡可能期間以下であるか、または第１ユーザが予め譲渡した第１使用権限の累積期間（すなわち、累積期間＋第２期間）が所定の最大譲渡可能期間以下であると判定されたときに、第１ユーザが所定の譲渡可能条件を満たしていると判定してよい。所定の最大譲渡可能期間には特定の期間単位が設定されてよい。例えば、権限管理部２２２は、１ヶ月の間に第１ユーザが３０日以上の第１使用権限を譲渡（寄付）できないように最大譲渡可能期間を設定してよい。
【００９３】
段階３２０の実行により、第１ユーザが自身の第１使用権限を無分別に譲渡することを防ぐことができる。つまり、コンテンツの使用権限の寄付におけるアビューズ行為を防ぐことができる。
【００９４】
権限管理部２２２は、第１ユーザが所定の譲渡可能条件を満たすと判定されたときに段階３３０を実行してよい。
【００９５】
段階３３０で、権限管理部２２２は、受信された譲渡要求に基づき、第１ユーザの第１使用権限を第２期間だけ縮小してよい。権限管理部２２２は、コンテンツ提供サービスの第１ユーザと関連するアカウントにおいて、第１使用権限を第２期間だけ縮小してよい。例えば、第１ユーザが３０日間の第１使用権限のうちの１０日間に対して譲渡を要求した場合、権限管理部２２２は、第１ユーザの第１使用権限を２０日間に縮小してよい。
【００９６】
段階３４０で、権限管理部２２２は、所定の条件を満たす第２ユーザと関連する第２ユーザ端末１２０に、第２期間の少なくとも一部である単位期間の複数のコンテンツのうちの少なくとも一部のコンテンツに対する第２使用権限を提供してよい。
【００９７】
第２ユーザが第２使用権限を取得するために満たすべき所定の条件は、コンテンツ提供サービスが提供する複数のコンテンツのうち、第１アーティストと関連するコンテンツを所定の件数だけ再生することであってよい。
【００９８】
例えば、前記所定の条件は、コンテンツ提供サービスが提供する複数のコンテンツのうち、第１アーティストと関連する特定のアルバムに含まれた所定の件数のコンテンツを再生することであってよい。このとき、特定のアルバムは、第１ユーザまたはコンテンツ使用権限管理装置１００が指定したものであってよい。または、前記所定の条件は、第１アーティストと関連するコンテンツのうち、少なくとも第１ユーザによって指定されたコンテンツを再生することであってよい。または、前記所定の条件は、第２ユーザが再生を選択したコンテンツを含み、第１アーティストと関連する特定のアルバムに含まれた所定の件数のコンテンツを再生することであってよい。一例として、所定の条件は、第１アーティストの３件の音源を再生することであるか、第１アーティストの第１アルバムに含まれた３件の音源を再生することであるか、または第１アーティストの音源のうちで第１ユーザが選択した音源を含んだ３件の音源を再生することであってよい。または、第２ユーザが再生を選択した音源を含んだ、第１アーティストの３件の音源を再生することであってよい。第２ユーザのアビューズ行為を防ぐために、所定の条件を満たす「コンテンツ」の再生は、コンテンツを最初から最後まで再生することであるか、または少なくとも７０％以上（すなわち、所定の値以上）を再生することであってよい。
【００９９】
単位期間は、第２期間の少なくとも一部であって、第２ユーザへの第２使用権限の提供のために第２期間を分割したものであってよい。例えば、第２期間が１０日間である場合、単位期間は１日間であってよい。したがって、一例として、第１ユーザによって１０日間に該当する定額券が寄付された場合、権限管理部２２２は、これを１０回分の１日定額券に分割し、１０人の第２ユーザそれぞれに提供してよい。
【０１００】
第２使用権限は、第１使用権限の範囲に属する使用権限であってよい。第２使用権限は、コンテンツを使用できる期間が第１使用権限よりも短いことを除いては、第１使用権限と同じ条件であってよい。または、第２使用権限は、コンテンツ提供サービスが提供する複数のコンテンツのうち、第１アーティストと関連するコンテンツまたは一部のコンテンツだけに対する使用権限であってよい。例えば、第１ユーザは、自身が譲渡する使用権限が、自身がファンである第１アーティストのコンテンツのためだけに使用されるように指定して使用権限の譲渡を要求してよい。
【０１０１】
第２使用権限が提供される第２ユーザは、コンテンツ提供サービスの会員であってよい。または、第２ユーザは、コンテンツ提供サービスの会員ではないが、所定の識別子が付与されたユーザであってよい。例えば、第２ユーザは、コンテンツ提供サービスのアカウントではない、所定のゲストアカウントが付与されたユーザであってよい。
【０１０２】
または、第２ユーザは、第１ユーザとメッセンジャーアプリケーションまたはＳＮＳに基づく人的関係が形成されているユーザであってよい。例えば、第１ユーザと第２ユーザは友達関係であってよい。この場合、第１ユーザは、自身が譲渡する使用権限が自身と人的関係が成立されている第２ユーザのコンテンツの使用のためだけに提供されるように、使用権限の譲渡を要求してよい。
【０１０３】
第２ユーザが、例えば、コンテンツ提供サービスの第１アーティストと関連するページにアクセスするか、第１アーティストと関連するコンテンツを選択したときに、所定の条件を満たす場合には、第２使用権限の提供が受けられることに関する案内を受けてよい。
【０１０４】
段階３４０の実行により、第１アーティストと関連する所定の条件を満たす第２ユーザに第２使用権限が提供されることにより、第１アーティストに対する第２ユーザの関心を誘導することができる。また、このような第２使用権限の譲渡が第１ユーザの寄付要求によってなされることにより、第１ユーザに第１アーティストのファンとしての存在感を感じさせることができる。
【０１０５】
また、図に示されてはいないが、報酬提供部２２８は、第１使用権限を譲渡した第１ユーザに所定の報酬を提供してよい。提供される報酬は、第１アーティストに関連するものであってよい。報酬提供部２２８は、複数の第１ユーザに対して最も多くの期間の第１使用権限を譲渡した第１ユーザ、またはそのランキングによって第１ユーザに報酬を提供してよい。
【０１０６】
提供される報酬は、例えば、第１アーティストと関連するグッツ（ｇｏｏｄｓ）であってよい。また、コンテンツ提供サービスまたはコンテンツ提供サービスと関連するアプリケーション（例えば、メッセンジャーアプリケーション）で利用可能な、第１アーティストに関する絵文字、スタンプ、ポイント、クーポン、あるいは第１ユーザのアカウント（例えば、アカウントのサムネイル）に視覚的に表示可能なアイテムのうちの少なくとも１つであってよい。または、第１アーティストとの実際の連結（オン／オフライン上の連結）を提供するための機会であってもよい。
【０１０７】
以上、図１および図２を参照しながら説明した技術的特徴は、図３に対してもそのまま適用可能であるため、重複する説明は省略する。
【０１０８】
図４は、一例における、コンテンツ提供サービスの特定のアーティストと関連するページに第１ユーザ間のランキングを提供する方法を示したフローチャートである。
【０１０９】
上述したように、第１ユーザは複数であってよい。
【０１１０】
段階４１０で、ランキング計算部２２６は、第１ユーザの第１使用権限の譲渡の程度に基づいて第１ユーザ間のランキングを計算してよい。ランキングは、第１アーティストに対する第１ユーザの関心度を示すランキングであってよい。ランキングは、どの第１ユーザが、第１アーティストを指定して最も多くの（すなわち、最も長い期間の）第１使用権限を寄付したかを示すものであってよい。
【０１１１】
段階４２０で、ランキング計算部２２６は、段階４１０で計算された第１アーティストと関連する複数の第１ユーザのランキングを提供してよい。ランキングは、コンテンツ提供サービスの第１アーティストと関連するページに表示されてよい。ユーザは、該当のページにアクセスしたユーザ端末１１０、１２０を通じてランキングを確認してよい。
【０１１２】
ランキングは、複数の第１ユーザそれぞれが譲渡した第１使用権限の第２期間の長さに基づいて計算された加重値によって決定されてよい。ランキングの計算は特定の期間単位で実行されてよい。例えば、ランキング計算部２２６は、ここ最近１ヶ月間に第１アーティストを指定して第１使用権限をより多く寄付した第１ユーザがより高い順位にランキングされるようにしてよい。または、ここ最近に第１使用権限を寄付した第１ユーザがより高い順位にランキングされるようにしてよい。すなわち、ランキング計算部２２６は、ここ最近により多くの第１使用権限を寄付した第１ユーザがより高い順位となるように、第１ユーザのランキングを決定してよい。
【０１１３】
第１アーティストと関連する複数の第１ユーザに対するランキングは、上述した第１使用権限の寄付の程度の他にも、これを含む複数のパラメータに基づいて決定されてよい。例えば、ランキングは、第１アーティストと関連するコンテンツの再生回数、前記コンテンツを共有した回数、および第１アーティストに関する活動指数のうちの少なくとも１つにさらに基づいて決定されてよい。このようなパラメータのうちの前記加重値は、前記ランキングの決定において支配的パラメータ（ｄｏｍｉｎａｎｔ  ｐａｒａｍｅｔｅｒ）であってよい。すなわち、ランキングの決定において第１使用権限の寄付の可否と程度が最も重要なパラメータとなってよい。
【０１１４】
第１ユーザのランキングの具体的な例については、図７を参照しながらさらに詳しく説明する。
【０１１５】
以上、図１〜３を参照しながら説明した技術的特徴は、図４に対してもそのまま適用可能であるため、重複する説明は省略する。
【０１１６】
図５は、一例における、第１ユーザから譲渡されたコンテンツに対する使用権限に基づくコンテンツに対する第２使用権限を第２ユーザに提供する方法を示したフローチャートである。
【０１１７】
図３を参照しながら説明した段階３４０は、以下の段階５１０〜５３０を含んでよい。
【０１１８】
第２使用権限が提供される第２ユーザは、第２ユーザ端末１２０を利用してコンテンツ提供サービスの第１アーティストと関連するページにアクセスしたユーザであってよい。
【０１１９】
制御部２２０のインタフェース提供部２２８は、第２使用権限の提供に関する案内情報を第２ユーザ端末１２０に提供してよい。案内情報は、段階３４０を参照しながら説明した所定の条件を案内する情報を含んでよい。
【０１２０】
段階５２０で、権限管理部２２２は、第２ユーザ端末１２０から応答を受信してよい。前記応答は、第２使用権限の提供を受諾するという同意であってよい。このとき、権限管理部２２２は、応答した第２ユーザに、前記所定の条件の満たすために再生が必要なコンテンツ（例えば、第１アーティストと関連するコンテンツのうちの指定されたコンテンツ）に対する使用権限を提供してよい。
【０１２１】
段階５３０で、権限管理部２２２は、第２ユーザが所定の条件を満たすかを判定してよい。権限管理部２２２は、第２ユーザが段階５１０の所定の条件を案内する情報に示された所定の条件を満たすかを判定してよい。例えば、第２ユーザは、第１アーティストの３件の音源を再生しなければならないという条件が案内されたとき、第１アーティストの３件の音源を再生することによって該当の条件を満たしてよい。
【０１２２】
段階５４０で、権限管理部２２２は、第２ユーザが所定の条件を満たすと判定されたとき、第２ユーザと関連する第２ユーザ端末１２０に第２使用権限を提供してよい。例えば、権限管理部２２２は、第２ユーザに、前記所定の条件を満たすために再生が必要なコンテンツに対する使用権限だけでなく、第２使用権限が許容する権限（例えば、コンテンツ提供サービスが提供するすべてのコンテンツまたは指定された一部のコンテンツ（第１アーティストと関連するコンテンツ）に対する使用権限）を提供してよい。
【０１２３】
第２ユーザに第２使用権限を提供する具体的な例については、図８を参照しながらさらに詳しく説明する。
【０１２４】
以上、図１〜４を参照しながら説明した技術的特徴は、図５に対してもそのまま適用可能であるため、重複する説明は省略する。
【０１２５】
図６は、一例における、コンテンツ提供サービスの特定のアーティストと関連するページに、使用権限の譲渡と関連する情報および／またはユーザインタフェースを提供する方法を示したフローチャートである。
【０１２６】
段階６１０で、権限管理部２２２は、コンテンツ提供サービスの第１アーティストと関連するページへのユーザ（第１ユーザまたは第２ユーザ）のアクセスを感知してよい。第１アーティストと関連するページは、第１アーティストと関連するアルバムや、コンテンツが整理されたページであってよい。第１アーティストと関連するページには、第１アーティスト、第１アーティストのアルバム、および第１アーティストのコンテンツに関する詳細情報が提供されてよい。
【０１２７】
段階６２０で、インタフェース提供部２２４は、第１アーティストと関連するページに、第１使用権限の譲渡に関する情報および／または第１使用権限の譲渡と関連するユーザインタフェースを提供してよい。
【０１２８】
具体的に、段階６２０−１で、インタフェース提供部２２４は、第１使用権限を譲渡した第１ユーザに関する情報を、コンテンツ提供サービスの第１アーティストと関連するページに表示してよい。例えば、インタフェース提供部２２４は、第１ユーザのＩＤまたはニックネーム、第１ユーザが作成した所定のメッセージ、第１ユーザが寄付した第１使用権限の期間の長さ（寄付量）、および第１ユーザのランキングのうちの少なくとも１つの情報を、第１アーティストと関連するページに表示してよい。このような、第１ユーザに関する情報が第１アーティストと関連するページに表示されることにより、第１ユーザに第１アーティストのファンとしての存在感を感じさせることができる。すなわち、第１アーティストを指定した第１ユーザの第１使用権限の譲渡は、第１アーティストのグッツを購入したときと同じ満足感を第１ユーザに与えることができる。
【０１２９】
段階６２０−２で、インタフェース提供部２２４は、第１ユーザのランキング情報を第１アーティストと関連するページに提供してよい。提供されるランキングは、図４を参照しながら説明したランキングに該当してよい。
【０１３０】
段階６２０−３で、インタフェース提供部２２４は、複数の第１ユーザによって譲渡された前記第１使用権限の第２期間の累積量を、第１アーティストと関連するページに表示してよい。例えば、インタフェース提供部２２４は、一定の期間（例えば、１ヶ月）に複数の第１ユーザによって譲渡された前記第１使用権限の第２期間の累積量を、第１アーティストと関連するページに表示してよい。または／追加的に、インタフェース提供部２２４は、第２ユーザに提供可能な第２使用権限の量（すなわち、第２ユーザに提供可能な期間である全体寄付量のうちの残余量）を第１アーティストと関連するページに表示してもよい。
【０１３１】
上述した段階６２０−１〜６２０−３の具体的な例は、図７および図８を参照しながらさらに詳しく説明する。
【０１３２】
以上、図１〜５を参照しながら説明した技術的特徴は、図６に対してもそのまま適用可能であるため、重複する説明は省略する。
【０１３３】
図７は、一例における、コンテンツ提供サービスの特定のアーティストと関連するページと、前記ページで第１ユーザが第１使用権限の一部の譲渡を要求する方法を示した図である。
【０１３４】
図７では、第１アーティストと関連するページ７００の一例を示している。ページ７００は、第１アーティストの名前（アーティストＡＡＡ）およびアーティストと関連するコンテンツ（楽曲Ａ、Ｂ・・・）を含んでよい。また、図に示すように、ページ７００は、第１ユーザのランキング７１０を含んでよい。ランキング７１０は、ページ７００をスクロールすることによって表示されてよい。
【０１３５】
ランキング７１０には、各第１ユーザが譲渡した第１使用権限の量（図に示す例のように、１５０ｄａｙｓ）および各ユーザがコンテンツを再生した数（図に示す例のように、１２３、３３３Ｌｉｓｔｅｎｓ）がともに提示されてよい。また、各第１ユーザの名前（ＩＤまたはニックネーム）とサムネイルがともに表示されてもよい。ランキング７１０は、図６を参照しながら説明した段階６２０−２で説明したインタフェース提供部２２４によって提供されるランキングに対応してよい。
【０１３６】
図に示すように、ページ７００において、ファン（Ｆａｎ）に該当する部分またはランキング７１０の上端が選択されることにより、第１使用権限の寄付のためのページ７５０が表示されてよい。
【０１３７】
ページ７５０は、第１ユーザが寄付した合計累積量７７０、第１ユーザのランキング７６０、および第１使用権限の寄付のためのユーザインタフェース７８０を含んでよい。累積量７７０は、図６を参照しながら説明した段階６２０−３で説明したインタフェース提供部２２４によって提供される情報に対応してよい。ランキング７６０はランキング７１０に対応してよい。
【０１３８】
第１ユーザがユーザインタフェース７８０を選択することにより、自身が所有する第１使用権限の寄付をコンテンツ使用権限管理装置１００に要求してよい。図に示されてはいないが、ユーザインタフェース７８０が選択されれば、寄付のための第２期間を設定するためのユーザインタフェースが追加で表示されてもよい。
【０１３９】
以上、図１〜６を参照しながら説明した技術的特徴は、図７に対してもそのまま適用可能であるため、重複する説明は省略する。
【０１４０】
図８は、一例における、コンテンツ提供サービスのページでコンテンツに対する第２使用権限が第２ユーザに提供される方法を示した図である。
【０１４１】
図８では、第１アーティストと関連するページ８００の一例を示している。ページ８００は、第１アーティスト（アーティストＡＡＡ）と関連するコンテンツ（楽曲Ａ、Ｂ・・・）を含んでよい。
【０１４２】
または、図に示すページ８００は、第１アーティストと特別に関連するページではなく、所定の基準によってコンテンツが並べられて提供されるページであってよい。
【０１４３】
図に示すように、第２ユーザが、ページ８００に表示されたコンテンツのうちから特定のコンテンツを選択する場合、図５を参照しながら説明したように、第２使用権限の提供と関連する案内情報８６０〜８８０を含むページ８５０が第２ユーザに提供されてよい。
【０１４４】
または、図に示すものとは異なり、ページ８５０は、第２ユーザが第１アーティストと関連するページ７００または８００にアクセスするときに第２ユーザに自動で提供されてもよい。
【０１４５】
ページ８５０は、第２使用権限の提供と関連する案内情報８６０〜８８０を含んでよい。案内情報８６０および８７０は、第２ユーザが満たすべき所定の条件を示してよい。例えば、図に示す例において、所定の条件は、第２ユーザが選択したアーティストＡＡＡの音源を含み、アーティストＡＡＡの３件の音源を再生することであってよい。
【０１４６】
第２ユーザは、案内情報８８０から「再生して利用券をもらう」を選択することにより、第２使用権限の取得を要求してよい。このような第２使用権限の取得の要求は、図５を参照しながら説明した段階５２０の「応答」に対応してよい。権限管理部２２２は、前記第２使用権限の取得の要求にしたがい、第２ユーザが選択した音源Ｄを含んでアーティストＡＡＡの３件の音源を再生できるようにする権限を第２ユーザに提供してよい。または、アーティストＡＡＡの音源のうちから選択した音源Ｄと音源Ａ、Ｂ、Ｃだけを再生できるようにする権限を提供してよい。
【０１４７】
所定の条件を満たすためのアーティストＡＡＡの音源は、第２ユーザが「再生して利用券を受ける」を選択したときに自動で再生されてもよい。
【０１４８】
第２ユーザが所定の条件を満たした場合、権限管理部２２２は、第２使用権限（１  Ｄａｙ  Ｆｒｅｅ  Ｔｉｃｋｅｔ、すべての音源に対する１日定額券）を第２ユーザに提供してよい。
【０１４９】
図に示すものとは異なる所定の条件が適用されることにより、第２使用権限の提供と関連する案内情報８６０〜８８０は、図に示すものとは異なるように実現されてよい。
【０１５０】
第２使用権限は、一定の期間ごとに所定の数の第２ユーザだけに提供されるように実現されてよい。一定の期間とは、例えば、１日、１週間、または１ヶ月であってよい。一例として、コンテンツ権限管理部２２２は、１日に１０件の第２使用権限だけを第２ユーザに提供してよい。すなわち、第１ユーザの残余累積寄付量が１００日あったとしても、１日に１０件の（１日間の使用権限である）第２使用権限だけを第２ユーザに提供してよい。このような制限的な数の第２使用権限の提供の機会は、先着順で第２ユーザに提供されてよい。このような所定の数は、権限管理部２２２によって予め決定されてよい。
【０１５１】
以上、図１〜７を参照しながら説明した技術的特徴は、図８に対してもそのまま適用可能であるため、重複する説明は省略する。
【０１５２】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【０１５３】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、仮想装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【０１５４】
実施形態に係る方法は、多様なコンピュータ手段によって実行可能なプログラム命令の形態で実現されてコンピュータ読み取り可能な媒体に記録されてよい。ここで、媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。
【０１５５】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【０１５６】
したがって、異なる実施形態であっても、特許請求の範囲と均等なものであれば、添付される特許請求の範囲に属する。
【図１】
2021520532.tif 000003
【図２】
2021520532.tif 000004
【図３】
2021520532.tif 000005
【図４】
2021520532.tif 000006
【図５】
2021520532.tif 000007
【図６】
2021520532.tif 000008
【図７】
2021520532.tif 000009
【図８】
2021520532.tif 000010
【国際調査報告】
2021520532.tif 000011
2021520532.tif 000012
2021520532.tif 000013
2021520532.tif 000014